(57)【特許請求の範囲】
【請求項１】
遠隔位置の作業箇所に向かう方向に延長されている棒状箇所を作業者が支持して先端側に配置されている機能部で所望の作業を行う作業道具に取り付ける補助アタッチメントであって、
前記作業道具の棒状箇所の周囲に巻き付けた状態に取り付ける受け部材と、前記受け部材内に突出するように設けられて突出位置の反対側の内面に向かって前記作業道具の棒状箇所を押し付ける突出部材と、前記受け部材または前記突出部材の一方に一体に形成されて前記作業者が掴んで安定姿勢に支持するグリップと、を備えて、
前記突出部材を突出方向から後退させて前記作業道具の棒状箇所を前記受け部材に押し付ける圧力を解除することにより前記グリップの位置を前記作業道具の棒状箇所の長さ方向にスライド自在にするとともに、前記突出部材を突出方向に突出させて前記作業道具の棒状箇所を前記受け部材に押し付ける圧力を増大させることにより前記グリップの位置を前記作業道具の棒状箇所の長さ方向の所望の位置に固定することを特徴とする棒状作業道具用の補助アタッチメント。
【請求項２】
前記グリップは、前記作業者が掴む棒形状に形成されて前記受け部材から離隔する位置で平行姿勢になるように両端側を支持部材で前記受け部材に連結されており、
前記突出部材は、前記受け部材に形成されている雌ネジ形状部に嵌め合い連結される雄ネジ形状部として別部材のネジ部材に一体形成されていることを特徴とする請求項１に記載の棒状作業道具用の補助アタッチメント。
【請求項３】
前記グリップは、前記作業者が掴む棒形状に形成されており、
前記突出部材は、前記受け部材に形成されている雌ネジ形状部に嵌め合い連結される雄ネジ形状部として前記グリップの先端側に形成されていることを特徴とする請求項１に記載の棒状作業道具用の補助アタッチメント。
【請求項４】
前記受け部材と一体に先端側を連結形成されて離隔方向に延長されている収容部材を備えて、
前記突出部材は、前記収容部材の先端面から弾性力で長さ方向に伸長して突出する弾性部材により構成されて、前記弾性部材は、前記長さ方向に圧縮されて前記受け部材内に突出または前記受け部材内から後退するように設置されており、
前記弾性部材を圧縮させるように操作する操作部材と、前記弾性部材を前記受け部材内に突出させる位置または前記受け部材内から後退させる位置に前記操作部材を保持する保持部材と、を備えることを特徴とする請求項１に記載の棒状作業道具用の補助アタッチメント。
【請求項５】
前記作業道具の棒状箇所の周方向の複数箇所に配置させるように前記グリップを複数備えることを特徴とする請求項１から４のいずれか１項に記載の棒状作業道具用の補助アタッチメント。
【発明の詳細な説明】
【技術分野】
【０００１】
本発明は、棒状作業道具用の補助アタッチメントに関し、詳しくは、棒状の作業道具に取り付けて作業性を向上させるものに関する。
【背景技術】
【０００２】
遠隔位置の作業箇所に対しては、その作業箇所まで届く道具を準備して各種作業を行う場合がある。
例えば、特許文献１には、高所に設置されている換気扇のフィルタ枠の交換作業の場合に、その設置場所まで届く長尺な棒状部材の先端に換気扇のフィルタ枠を引っ掛けて持ち上げることができる作業道具を用いることが提案されている。
この特許文献１に記載の作業道具では、棒状部材の手元側に、把持できるグリップが棒状部材に対して直交する姿勢に固定されており、そのグリップを作業者が掴んで作業を容易化するように工夫されている。
【先行技術文献】
【特許文献】
【０００３】
【特許文献１】特開２００９−２３６４０９号公報
【発明の概要】
【発明が解決しようとする課題】
【０００４】
しかしながら、この特許文献１に記載のような棒状作業道具にあっては、グリップは棒状部材に固定されていることから、作業者の体格などに応じた位置に調整することができず、作業者によっては使い勝手が悪い、という課題があった。
そこで、本発明は、作業者の好みの位置に掴み易い部材を容易に設置できるようにして、作業性を向上させることのできる棒状作業道具用の補助アタッチメントを提供することを目的としている。
【課題を解決するための手段】
【０００５】
上記課題を解決する棒状作業道具用の補助アタッチメントの発明の一態様は、遠隔位置の作業箇所に向かう姿勢の棒状箇所を作業者が支持して先端側に配置されている機能部で所望の作業を行う作業道具に取り付ける補助アタッチメントであって、前記作業道具の棒状箇所の周囲に巻き付けた状態に取り付ける受け部材と、前記受け部材内に突出するように設けられて突出位置の反対側の内面に向かって前記作業道具の棒状箇所を押し付ける突出部材と、前記受け部材または前記突出部材の一方に一体に形成されて前記作業者が掴んで安定姿勢に支持するグリップと、を備えて、前記突出部材を突出方向から後退させて前記作業道具の棒状箇所を前記受け部材に押し付ける圧力を解除することにより前記グリップの位置を前記作業道具の棒状箇所の長さ方向にスライド自在にするとともに、前記突出部材を突出方向に突出させて前記作業道具の棒状箇所を前記受け部材に押し付ける圧力を増大させることにより前記グリップの位置を前記作業道具の棒状箇所の長さ方向の所望の位置に固定することを特徴とするものである。
【発明の効果】
【０００６】
このように本発明の一態様によれば、突出部材を受け部材内に突出または後退させるだけで、作業道具の棒状箇所への取付位置を長さ方向にスライドさせて調整することができる。したがって、作業者に応じてグリップ位置を容易に調整することができ、使い勝手を良くして作業性を向上させることができる。
【図面の簡単な説明】
【０００７】
【図１】図１は、本発明に係る棒状作業道具用の補助アタッチメントの第１実施形態を示す図であり、その概略全体構成を示す平面図である。
【図２】図２は、その軸方向から見た下面図である。
【図３】図３は、その補助アタッチメントを取り付ける棒状作業道具の共用操作棒の先端に取り付けるフックを示す平面図である。
【図４】図４は、その共用操作棒を示す平面図である。
【図５】図５は、その他の態様を示す図であり、その概略全体構成を示す軸方向から見た下面図である。
【図６】図６は、本発明に係る棒状作業道具用の補助アタッチメントの第２実施形態を示す図であり、その概略全体構成を示す軸方向から見た下面図である。
【図７】図７は、本発明に係る棒状作業道具用の補助アタッチメントの第３実施形態を示す図であり、その概略全体構成を示す軸方向から見た下面図である。
【図８】図８は、その補助アタッチメントの取付対象の棒状作業道具の別形態であるヤットコを示す平面図である。
【発明を実施するための形態】
【０００８】
本発明の実施形態の一態様としては、遠隔位置の作業箇所に向かう姿勢の棒状箇所を作業者が支持して先端側に配置されている機能部で所望の作業を行う作業道具に取り付ける補助アタッチメントであって、前記作業道具の棒状箇所の周囲に巻き付けた状態に取り付ける受け部材と、前記受け部材内に突出するように設けられて突出位置の反対側の内面に向かって前記作業道具の棒状箇所を押し付ける突出部材と、前記受け部材または前記突出部材の一方に一体に形成されて前記作業者が掴んで安定姿勢に支持するグリップと、を備えて、前記突出部材を突出方向から後退させて前記作業道具の棒状箇所を前記受け部材に押し付ける圧力を解除することにより前記グリップの位置を前記作業道具の棒状箇所の長さ方向にスライド自在にするとともに、前記突出部材を突出方向に突出させて前記作業道具の棒状箇所を前記受け部材に押し付ける圧力を増大させることにより前記グリップの位置を前記作業道具の棒状箇所の長さ方向の所望の位置に固定する構成を備えるのに加えて、次の構成を備えてもよい。
【０００９】
第１の他の態様としては、前記グリップは、前記作業者が掴む棒形状に形成されて前記受け部材から離隔する位置で平行姿勢になるように両端側を支持部材で前記受け部材に連結されており、前記突出部材は、前記受け部材に形成されている雌ネジ形状部に嵌め合い連結される雄ネジ形状部として別部材のネジ部材に一体形成されていてもよい。
この態様では、ネジ部材の雄ネジ形状部を受け部材の雌ネジ形状部に嵌め合い結合させてその受け部材内に突出させることにより、作業道具の棒状箇所と平行姿勢にグリップを固定することができる。したがって、作業道具の棒状箇所の所望の位置で平行なグリップを掴んで作業することができる。
【００１０】
第２の他の態様としては、前記グリップは、前記作業者が掴む棒形状に形成されており、前記突出部材は、前記受け部材に形成されている雌ネジ形状部に嵌め合い連結される雄ネジ形状部として前記グリップの先端側に形成されていてもよい。
この態様では、グリップ先端の雄ネジ形状部を受け部材の雌ネジ形状部に嵌め合い結合させてその受け部材内に突出させることにより、作業道具の棒状箇所にグリップを交差する姿勢で固定することができる。したがって、作業道具の棒状箇所の所望の位置で交差方向に突出するグリップを掴んで作業することができる。
【００１１】
第３の他の態様としては、前記受け部材と一体に先端側を連結形成されて離隔方向に延長されている収容部材を備えて、前記突出部材は、前記収容部材の先端面から弾性力で長さ方向に伸長して突出する弾性部材により構成されて、前記弾性部材は、前記長さ方向に圧縮されて前記受け部材内に突出または前記受け部材内から後退するように設置されており、前記弾性部材を圧縮させるように操作する操作部材と、前記弾性部材を前記受け部材内に突出させる位置または前記受け部材内から後退させる位置に前記操作部材を保持する保持部材と、を備えていてもよい。
この態様では、突出部材の弾性部材を圧縮するように操作部材を操作して保持部材で保持することにより、突出部材の弾性部材を収容部材の先端面から受け部材内に突出または後退させることができ、作業道具の棒状箇所の所望の位置にグリップを位置決め固定することができる。したがって、作業道具の棒状箇所の所望の位置でグリップを容易に位置決めして作業することができる。
【００１２】
第４の他の態様としては、前記作業道具の棒状箇所の周方向の複数箇所に配置させるように前記グリップを複数備えていてもよい。
この態様では、作業道具の棒状箇所の周りに複数のグリップを固定することができる。したがって、作業者は掴み易い方向のグリップを掴んで容易に作業することができる。
【００１３】
（第１実施形態）
以下、図面を参照して、本発明の実施形態について詳細に説明する。図１〜図４は本発明に係る棒状作業道具用の補助アタッチメントの第１実施形態を示す図である。
図１および図２において、補助アタッチメント１０は、例えば、図３に示すフック１００を図４に示す共用操作棒２００の先端部に機能部として連結させて作業する際に、その共用操作棒２００の手元側棒状箇所に取り付けることにより、作業性を向上させるものである。
【００１４】
ここで、フック１００は、図３に示すように、鉤の手部１０１および横棒部２０２を備えており、この鉤の手部１０１および横棒部１０２の基端部側には、共用操作棒２００の先端部を差込可能に円筒形状に形成されているジョイント部１０５が連設されている。
このフック１００のジョイント部１０５は、円筒形状の対面する周面のそれぞれが概略Ｔ字形状に切り欠かれて開口することにより、後端面（共用操作棒２００）側から先端側に向う差込切欠部１０６と、この差込切欠部１０６の直交方向の両側に連続するように屈曲する係合切欠部１０７と、が一対形成されている。
【００１５】
これに対して、共用操作棒２００は、図４に示すように、円柱形状の先端部の互いに反対側となる側面に突起形状に一対立設されることによりフック１００のジョイント部１０５の２箇所の切欠部１０６、１０７内に挿し込んで係合させることのできるピン２０１と、先端部の先端面に配設されて不図示の内蔵スプリングにより突出方向に付勢されている突起２０２と、先端部の側面に刻設されている不図示のネジ形状に螺合して進退可能なグリップ２０３と、滑り難い材質の取替え可能な滑り止が施されて作業員の把持する基端部側の把持部２０４と、を備えている。
【００１６】
この構成により、フック１００は、ジョイント部１０５内に共用操作棒２００の先端部を差し込んで突起２０２を内蔵スプリングの弾性力に抗して沈ませつつ、ピン２０１の双方を切欠部１０６、１０７内に進入させて回転させた後に、その進入させる力を解放すると、突起２０２がスプリングの弾性力により突出してジョイント部１０５を押し出すことにより、その係合切欠部１０７から屈曲する係合溝１０７ａ内にピン２０１を離脱不能に係合させることができる。
さらに、この共用操作棒２００は、グリップ２０３を回転させてジョイント部１０５側に寄せることによりピン２０１が係合溝１０７ａ内から離脱して回転しないようにロックすることができ、フック１００が相対回転して外れてしまうことを信頼性高く防止して取り扱い易くすることができる。
なお、この共用操作棒２００は、中間部分に傘カバー２０５、２０６が取り付けられているとともに、全体をプラスチックなどの絶縁材料で作製されることにより絶縁性が確保されており、先端側の傘カバー２０５がフック１００側からの水分を滴下させるとともに、基端側の傘カバー２０６が安全に作業を行い得る限界位置を示して、作業する際の安全を確保している。
【００１７】
図１および図２に戻って、補助アタッチメント１０は、フック１００を遠隔位置の作業箇所付近に位置させる際に、その作業箇所に向かうように延長されている姿勢となる共用操作棒２００の棒状の把持部２０４の手で把持する箇所、例えば、傘カバー２０５、２０６の手元側に取り付けて使用する。
この補助アタッチメント１０は、受け部材１１を共用操作棒２００の把持部２０４に別部材のネジ部材１７で取り付けるように構築されており、受け部材１１には、グリップ１５が一体形成されている。
【００１８】
受け部材１１は、共用操作棒２００の把持部２０４の外径よりも大きめの内径を有する略円筒形状に、弾性変形可能な絶縁性樹脂材料により形成されて、巻き付けた状態に取り付ける形状に形成されている。この受け部材１１は、両端側間に連続するように長手方向に延長されているスリット１２が形成されており、このスリット１２は、受け部材１１本体を弾性変形させて共用操作棒２００の把持部２０４を押し込み可能な幅で開口するように形成されている。
なお、スリット１２は、受け部材１１が変形するような負荷が掛かるような作業を行う場合には、共用操作棒２００の後端側から受け部材１１を差し込むようにして、省略してもよく、また、受け部材１１自体をその程度の負荷では変形しないように作製すれば省略しなくてもよい。
【００１９】
また、受け部材１１は、スリット１２の開口位置の軸心を中心にする反対側から周方向にずれた位置に雌ネジ形状部１３が一体形成されている。
この受け部材１１は、ネジ部材１７の雄ネジ形状部１８を雌ネジ形状部１３に嵌め合わせる深さを増大させるように相対回転させて結合させることにより、その雄ネジ形状部１８の先端部１８ａを内部に突出させることで、共用操作棒２００の把持部２０４を内面１１ａに押し付ける圧力を増大させて位置決め固定するようになっている。すなわち、ネジ部材１７の雄ネジ形状部１８が突出部材を構成している。
反対に、受け部材１１は、ネジ部材１７の雄ネジ形状部１８を雌ネジ形状部１３との嵌め合い深さを浅くするように相対回転させて緩めることにより、その内部に突出する雄ネジ形状部１８の先端部１８ａを後退させることで、共用操作棒２００の把持部２０４を内面１１ａに押し付ける圧力を解消して長さ方向に移動自在にするようになっている。
【００２０】
グリップ１５は、作業者が掴むことができる棒状に形成されて、その両端部が支持部１６により受け部材１１に連結されることにより、受け部材１１の外面から離隔する位置で平行姿勢になる、所謂、ブリッジ形状に形成されて支持されている。このグリップ１５は、作業者が掴む外周面が滑り止め面１５ａに形成されている。
【００２１】
これにより、補助アタッチメント１０は、必要に応じて共用操作棒２００の把持部２０４に受け部材１１を取り付けて、手元側の所望の長さ方向および周方向の位置にスライドさせた後に、受け部材１１の雌ネジ形状部１３にネジ部材１７の雄ネジ形状部１８を嵌め合い結合させて先端部１８ａを受け部材１１内に突出させるだけで位置決め固定することができる。
したがって、作業者は、共用操作棒２００の把持部２０４の自分の使い勝手に応じた位置に補助アタッチメント１０を位置決め固定して、その把持部２０４自体を掴むのと同時に、離隔位置の並行姿勢のグリップ１５を滑ることなくしっかりと掴むことができ、先端側のフック１００を遠隔位置に容易に位置させつつ鉤の手部１０１や横棒部１０２を機能させて効率よく作業することができる。
【００２２】
ここで、本実施形態では、１つの補助アタッチメント１０を共用操作棒２００に取り付ける場合を一例にして説明するが、これに限るものではなく、例えば、複数個の補助アタッチメント１０を共用操作棒２００に取り付けてもよいことは言うまでもない。
また、グリップ１５を１つ備える補助アタッチメント１０を一例にして説明するが、このグリップ１５は周方向の複数箇所に配置してもよく、作業者が作業姿勢などの都合に応じて選択して掴むことができるように、例えば、図５に示すように、共用操作棒２００の把持部２０４の周方向の３か所にグリップ１５を設けてもよい。
【００２３】
（第２実施形態）
次に、図６は本発明に係る棒状作業道具用の補助アタッチメントの第２実施形態を示す図である。ここで、本実施形態は、上述実施形態と同様の構成を備えることから、同様の構成には同一の符号を付して特徴部分を説明する。
図６において、補助アタッチメント２０は、上述実施形態と同様に、雌ネジ形状部１３を有する受け部材１１を備えている。この補助アタッチメント２０では、グリップ１５とネジ部材１７に代えて、その受け部材１１と別部材のグリップ２５の先端側に、雌ネジ形状部１３に嵌め合い結合させる雄ネジ形状部２８が形成されている。すなわち、グリップ２５先端側の雄ネジ形状部２８が突出部材を構成している。
【００２４】
グリップ２５は、作業者が掴むことができる棒状に形成されて、その外周面を滑り止め面２５ａに形成されており、雄ネジ形状部２８が先端面２５ｂから同一の長手方向に延長される形態で一体形成されている。
【００２５】
この構成により、グリップ２５は、雄ネジ形状部２８を受け部材１１の雌ネジ形状部１３に嵌め合わせる深さを増大させるように相対回転させて結合させることにより、その雄ネジ形状部２８の先端部２８ａを内部に突出させることで、共用操作棒２００の把持部２０４を内面１１ａに押し付ける圧力を増大させて位置決め固定するようになっている。
反対に、グリップ２５は、雄ネジ形状部２８を受け部材１１の雌ネジ形状部１３との嵌め合い深さを浅くするように相対回転させて緩めることにより、その内部に突出する雄ネジ形状部２８の先端部２８ａを後退させることで、共用操作棒２００の把持部２０４の内面１１ａへの押し付け圧力を解消して長さ方向に移動自在にするようになっている。
【００２６】
このため、補助アタッチメント２０は、必要に応じて共用操作棒２００の把持部２０４に受け部材１１を取り付けて、グリップ２５の雄ネジ形状部２８を受け部材１１の雌ネジ形状部１３に嵌め合い結合させて先端部２８ａを受け部材１１内に突出させるだけで、グリップ２５を直交方向に突出する姿勢で、共用操作棒２００の把持部２０４に位置決め固定することができる。
したがって、作業者は、共用操作棒２００の把持部２０４の自分の使い勝手に応じた位置に補助アタッチメント２０を位置決め固定して、その把持部２０４自体を掴むのと同時に、側方の直交姿勢のグリップ２５を滑ることなくしっかりと掴むことができ、先端側のフック１００を遠隔位置に容易に位置させつつ鉤の手部１０１や横棒部１０２を機能させて効率よく作業することができる。
【００２７】
（第３実施形態）
次に、図７は本発明に係る棒状作業道具用の補助アタッチメントの第３実施形態を示す図である。ここで、本実施形態は、上述実施形態と同様の構成を備えることから、同様の構成には同一の符号を付して特徴部分を説明する。
図７において、補助アタッチメント３０は、上述実施形態と同様に、受け部材１１の本体部分を備えている。この補助アタッチメント３０では、雌ネジ形状部１３やグリップ２５と雄ネジ形状部２８に代えて、その雌ネジ形状部１３の形成位置に、拳銃形態部材３１が設けられて、共用操作棒２００の把持部２０４の所望の位置に取り付けるようになっている。
【００２８】
拳銃形態部材３１は、受け部材１１の外面から直交方向に延長する姿勢で連結形成されている概略筒形状の銃身部材（収容部材）３２を備えており、この銃身部材３２の後端側には斜め方向に延長されているグリップ３５が一体形成されている。グリップ３５は、拳銃のグリップ（銃把）と同様に、作業者が掴むことができる形態に形成されて、その外周面に滑り止め面３５ａが形成されている。
【００２９】
銃身部材３２は、受け部材１１内に形成されている開口部１１ｈに、長手方向に延長されている内部空間３２ａが連続するように設けられており、その内部空間３２ａ内に、長手方向にスライド自在にベース３６を先端部側に収容している。ベース３６の先端側には、銃身部材３２の長手方向に一致する方向に圧縮伸長自在に一対のスプリング３７が固定されており、また、ベース３６の後端側には、銃身部材３２の長手方向に一致する方向に延長されている操作バー３８が固定されている。
この銃身部材３２は、操作バー３８を先端側に向けて前進させることにより、ベース３６の前側のスプリング３７を受け部材１１内に開口部１１ｈから突出させて共用操作棒２００の把持部２０４を内面１１ａに押し付ける圧力を増大させて位置決め固定するようになっている。反対に、銃身部材３２は、操作バー３８を後部側に向けて後退させることにより、ベース３６の前側のスプリング３７を受け部材１１内から引き戻して共用操作棒２００の把持部２０４を内面１１ａに押し付ける圧力を解消して長さ方向に移動自在にするようになっている。すなわち、スプリング３７は突出部材の弾性部材を構成している。
【００３０】
操作バー３８は、銃身部材３２の長手方向に向かう正逆方向に回転自在に回転軸３９ａにより支持されている回転板３９に、後端側の連結軸３８ａが回転自在に連結されており、回転板３９の回転方向に従って前進または後退する。
回転板３９は、回転軸３９ａから外部に操作可能に露出するトリガ（引き金）４１が連続して相対的な姿勢を変化させないように一体形成されており、トリガ４１は、通常、共用操作棒２００の把持部２０４の外面に突き当たるスプリング３７の弾性復帰力で押し返されている位置がホームポジションに設定されている。
この回転板３９は、操作バー３８の反対側に切り込み３９ｃが形成されており、銃身部材３２の先端側に前進させた状態の切り込み３９ｃに、操作バー３８と同一方向にスライド自在に設けられているストッパ４２の先端部材４２ａを差し込むことで戻らないようにロック可能になっている。すなわち、操作バー３８が操作部材を構成して、ストッパ４２が保持部材を構成している。
【００３１】
これにより、拳銃形態部材３１は、トリガ４１を引いて操作バー３８を先端側に向けて前進させた状態で、ストッパ４２を先端側にスライドさせることにより、ベース３６の前側のスプリング３７が受け部材１１内の共用操作棒２００の把持部２０４を内面１１ａに押し付けて位置決め固定することができ、そのストッパ４２を後部側に戻すだけでスライド自在の状態にすることができる。
【００３２】
このため、補助アタッチメント３０は、必要に応じて共用操作棒２００の把持部２０４に受け部材１１を取り付けて、拳銃形態部材３１のトリガ４１を引いてストッパ４２を操作するだけで、グリップ３５を共用操作棒２００の把持部２０４の握り易い位置に位置決め固定することができる。
したがって、作業者は、共用操作棒２００の把持部２０４の自分の使い勝手に応じた位置に補助アタッチメント３０を位置決め固定して、その把持部２０４自体を掴むのと同時に、側方で斜めの姿勢になるグリップ３５を滑ることなくしっかりと掴むことができ、先端側のフック１００を遠隔位置に容易に位置させつつ鉤の手部１０１や横棒部１０２を機能させて効率よく作業することができる。
【００３３】
ここで、本実施形態では、拳銃形態部材３１のトリガ４１を引いたときにスプリング３７を突出させて共用操作棒２００の把持部２０４に位置決め固定する場合を一例にして説明するが、これに限るものではない。例えば、拳銃形態部材３１のトリガ４１を引いたときに、スプリング３７を圧縮後退させて共用操作棒２００の把持部２０４を押し付ける圧力を解消保持できるようにし、その保持を解除したときにスプリング３７が自然長になるように伸長して常時位置決め固定する状態を維持するようにしてもよい。
【００３４】
また、上述実施形態では、共用操作棒２００を棒状作業道具の一例として説明するが、これに限るまでもなく、例えば、図８に示すヤットコ３００の手元部分３００Ｈに補助アタッチメントを取り付けてもよいことは言うまでもない。
なお、ヤットコ３００は、図８に示すように、対象物を掴む把持部３１０と、作業者が把持して支持する支持棒３３１と、伝達棒３３２を介して操作力を伝達することにより把持部３１０を操作するハンドル３２２と、を備えている。これにより、ヤットコ３００は、支持棒３３１に固設されている把持部３１０の不動部材３１１に対して、ハンドル３２２を操作することにより伝達棒３３２に連結されている可動部材３１２を回動軸３１３を中心に回動させることにより、把持部３１０の部材３１１、３１２の先端部３１１ａ、３１２ａの間で対象物等を掴むことができる。このヤットコ３００には、掴む側からの水分を滴下させる傘カバー３３４と、掴む側からの絶縁性を考慮して安全に作業を行い得る限界位置を示す傘カバー３３５とを備えて、概略全体をプラスチックやゴム材料などの絶縁材料で作製されることにより絶縁性が確保されている。
【００３５】
本発明の範囲は、図示され記載された例示的な実施形態に限定されるものではなく、本発明が目的とするものと均等な効果をもたらすすべての実施形態をも含む。さらに、本発明の範囲は、各請求項により画される発明の特徴の組み合わせに限定されるものではなく、すべての開示されたそれぞれの特徴のうち特定の特徴のあらゆる所望する組み合わせによって画され得る。
【符号の説明】
【００３６】
１０、２０、３０     補助アタッチメント
１２   スリット
１３   雌ネジ形状部
１５、２５、３５     グリップ
１６   支持部
１７   ネジ部材
１８、２８    雄ネジ形状部
１８ａ、２８ａ       先端部
３１   拳銃形態部材
３２   銃身部材
３６   ベース
３７   スプリング
３８   操作バー
３９   回転板
４１   トリガ
４２   ストッパ
１００ フック
２００ 共用操作棒
３００ ヤットコ
【要約】
【課題】作業者の好みの位置に掴み易い部材を設置できるようにして、作業性を向上させることのできる棒状作業道具用の補助アタッチメントを提供すること。
【解決手段】共用操作棒に取り付ける補助アタッチメント１０であって、共用操作棒の把持部２０４の周囲に巻き付けた状態に取り付ける受け部材１１と、受け部材内に突出するように設けられて突出位置の反対側の内面に向かって共用操作棒を押し付ける雄ネジ形状部１８を備えるネジ部材１７と、受け部材に一体形成されて作業者が掴んで安定姿勢に支持するグリップ１５と、を備えており、ネジ部材の雄ネジ形状部を受け部材の雌ネジ形状部１３に嵌め合い結合させて先端部１８ａを内部に突出させて共用操作棒を受け部材に押し付けて位置決め固定する。
【選択図】図１【図１】
0005592532.tif 000002
【図２】
0005592532.tif 000003
【図３】
0005592532.tif 000004
【図４】
0005592532.tif 000005
【図５】
0005592532.tif 000006
【図６】
0005592532.tif 000007
【図７】
0005592532.tif 000008
【図８】
0005592532.tif 000009